(57)【要約】  【課題】  花立本体の台座への取り付け取り外しを簡単にして、ねじ山が破損されることがないようにする。  【解決手段】  花立石１の上面に固定されるとともに内側に雌ねじ３が形成された台座２に、雌ねじ３に螺合される雄ねじ５が下端に形成された花立本体４を台座２に着脱自在に螺着する墓石用花立に取り付けられるアダプターであって、下部に台座２の雌ねじ３に螺合可能な雄ねじ部１３が形成され上部に雄ねじ部１３と同軸に嵌合孔１４が形成された台座用アダプター１１と、下部に嵌合孔１４への抜き差しが自在な凸部２３が垂設され上部に花立本体４の雄ねじ５に螺合可能な雌ねじ部２４が形成された本体用アダプター２１とからなり、予め台座用アダプター１１および本体用アダプター２１をそれぞれ台座２および花立本体４に螺着しておき、台座用アダプター１１と本体用アダプター２１の間で抜き差しする。【選択図】  図３
0003106243.tif 000002
【実用新案登録請求の範囲】
【請求項１】
花立石の上面に固定されるとともに内側に雌ねじが形成された台座に、前記雌ねじに螺合される雄ねじが下端に形成された花立本体を前記台座に着脱自在に螺着する墓石用花立に取り付けられるアダプターであって、
下部に前記台座の雌ねじに螺合可能な雄ねじ部が形成され上部に前記雄ねじ部と同軸上に嵌合孔が形成された台座用アダプターと、
下部に前記嵌合孔への抜き差しが自在な凸部が垂設され上部に前記花立本体の雄ねじに螺合可能な雌ねじ部が形成された本体用アダプターと、
からなり、予め前記台座用アダプターおよび本体用アダプターをそれぞれ台座および花立本体に螺着しておき、台座用アダプターと本体用アダプターの間で抜き差しするようにしたことを特徴とする墓石用花立のアダプター。
【請求項２】
請求項１に記載の墓石用花立のアダプターにおいて、
前記嵌合孔の内周面に一周する溝を形成して、該溝内に内径が前記凸部の外周よりやや小さいばね材からなる欠円リングを嵌装し、前記溝位置に対応する前記凸部の外周に前記欠円リングを係止可能な溝を形成したことを特徴とする墓石用花立のアダプター。
【考案の詳細な説明】
【技術分野】
【０００１】
本考案は、墓石の前部の花立石の上面に着脱自在に設置される花立に取り付けられるアダプターに関し、詳しくは花立本体下端の螺子からなる取り付け部に装着することにより、花立本体を差し込み式にして着脱するようにした花立に関する。
【背景技術】
【０００２】
従来の墓石用花立の一般的な構造は、図６および図７に示されるように、墓石の前部の供物石の両側に配置された花立石１の上面に、雌ねじが形成された台座２が接着等により固定されており、この台座２の雌ねじ部３に、花立本体４の下端の雄ねじ部５を螺合させることにより、花立本体４が台座２に支持される。なお、従来の花立の構造としては、特許文献１に記載されている「墓前花立用台座及びその取付方法」が知られている。
【特許文献１】特開平０８−０８２１２１号公報
【考案の開示】
【考案が解決しようとする課題】
【０００３】
しかしながら、上述した従来の花立は、台座２と花立本体４がねじ込み式であるため、取り付けおよび取り外しの際に、花立本体４を台座２に対して垂直に保持しながら回転する操作が必要であり、その操作が煩わしかった。また、花立本体４を回しているうちに、花立本体４から水がこぼれることもあった。さらには、花立本体４を何回も取り付け取り外しをしているうちに、花立本体４を垂直に保持しないで無理にねじ込むと、雌ねじ部３または雄ねじ部５のねじ山が破損されてしまうことがあった。同様に、花立本体４の雄ねじ部５に砂粒等の異物が付着したままねじ込んでねじ山が破損されてしまうことがあった。ねじ山が破損した場合は、台座をそっくり交換しなければならず、専門の業者に修理を依頼すると工事費がかかるという問題があった。そこで、本考案は、花立本体の台座への取り付け取り外しが簡単に行えて、しかも、ねじ山を破損することのない墓石用花立のアダプターを提案することを目的とした。
【課題を解決するための手段】
【０００４】
上記課題を解決するために、本考案は、花立石の上面に固定されるとともに内側に雌ねじが形成された台座に、前記雌ねじに螺合される雄ねじが下端に形成された花立本体を前記台座に着脱自在に螺着する墓石用花立に取り付けられるアダプターであって、下部に前記台座の雌ねじに螺合可能な雄ねじ部が形成され上部に前記雄ねじ部と同軸上に嵌合孔が形成された台座用アダプターと、下部に前記嵌合孔への抜き差しが自在な凸部が垂設され上部に前記花立本体の雄ねじに螺合可能な雌ねじ部が形成された本体用アダプターとからなり、予め前記台座用アダプターおよび本体用アダプターをそれぞれ台座および花立本体に螺着しておき、台座用アダプターと本体用アダプターの間で抜き差しするようにしたことを特徴とする。
ここで、前記嵌合孔の内周面に一周する溝を形成して、該溝内に内径が前記凸部の外周よりやや小さいばね材からなる欠円リングを嵌装し、前記溝位置に対応する前記凸部の外周に前記欠円リングを係止可能な溝を形成することが好ましい。
【考案の効果】
【０００５】
以上述べたように本考案によれば、墓石用花立のねじ部分に、互いに抜き差し可能な２個のアダプターを螺着することで、花立本体をねじ込みする操作が不要となり、取り付け取り外しが容易となる。また、花立側および台座側のねじ部分に最初にアダプターを螺着するため、それ以後、ねじ山が破損されることが解消される。さらには、嵌合部分にばね材からなる欠円リングを装着したことで、嵌合状態が強く保持され、カラスのいたずらや風により、花立本体が抜けて外れることが防止される。
【考案を実施するための最良の形態】
【０００６】
以下、図に基づいて本考案の実施形態を説明する。
図１は本考案に係る墓石用花立のアダプターの構成を示す縦断面図であり、図２はアダプターを螺着した状態を示す外観図であり、図３は図２の縦断面図であり、図４はアダプターを互いに嵌合した状態を示す外観図であり、図５は図４の縦断面図である。
【０００７】
図１に示されるように、本考案の係るアダプターは、台座用アダプター１１と本体用アダプター２１とから構成されている。台座用アダプター１１は、円盤状の本体部１２の下方に筒状に雄ねじ部１３が垂設され、本体部１２および雄ねじ部１３の内側に嵌合孔１４が同軸上に形成されている。嵌合孔１４の内周面には凹溝１５が形成されて、ばね材であるところの鋼線またはステンレス線により形成されて、一箇所が欠けた欠円リング１６が嵌装されている。この状態で欠円リング１６の内周は、嵌合孔１４の内周面よりも内側に突出して保持されている。なお、雄ねじ部１３は、台座２の雌ねじ部３に螺合可能なねじある。
【０００８】
本体用アダプター２１は、円盤状の本体部２２の下方に、前記台座用アダプター１１の嵌合孔１４への抜き差しが自在な凸部２３が設けられ、本体部２２の上面内側に雌ねじ部２４が形成されている。雌ねじ部２４は、花立本体４の雄ねじ部５に螺合可能なねじある。凸部２３の外周には、前記台座用アダプター１１の凹溝１５に対応する位置に、溝２５が形成されている。また、凸部２３には上下方向に貫通する孔２６が形成されている。
【０００９】
次に、以上のように構成された台座用アダプター１１および本体用アダプター２１の使用方法を説明する。図２および図３に示されるように、台座用アダプター１１の雄ねじ部１３を台座２の雌ねじ部３にねじ込み固定する。同様に、本体用アダプター２１の雌ねじ部２４に花立本体４の下端の雄ねじ部５をねじ込み固定する。
【００１０】
次に、花立本体４に水を入れて仏花を活けてから、花立本体４を垂直に保ちながら、本体用アダプター２１の凸部２３を、台座用アダプター１１の嵌合孔１４に挿入する。凸部２３がその根元部分まで挿入されると同時に、本体用アダプター２１の溝２５が嵌合孔１４内の欠円リング１６に係止されて、本体用アダプター２１の挿入状態が強固に保持される。また、花立本体４を台座２から抜き取るときは、溝２５が欠円リング１６から抜け出る力で花立本体４を引き上げることで、花立本体４は外れる。このようにして、花立本体４を台座２にワンタッチで装着して抜き取ることが可能となり、面倒なねじ込み操作が不要となる。
【００１１】
また、台座用アダプター１１と本体用アダプター２１は、図４に示されるように、台座２および花立本体４の形状にマッチした形状にしてあるため、アダプターを取り付けたことで、外観上、違和感を抱かせることもない。なお、上述の実施形態では、欠円リング１６を台座用アダプター１１の凹溝１５に装着しているが、本体用アダプター２１の溝２５を深くして、溝２５内に装着することも可能である。また、欠円リング１６の代わりＯリングを用いることも可能である。さらに、台座用アダプター１１および本体用アダプター２１は、耐蝕性を有するステンレス等により作成することが好ましいが、プラスチック製とすることも可能である。
【産業上の利用可能性】
【００１２】
本考案は、墓石に供える花立以外に、仏壇に供える仏花の花立にも利用可能である。
【図面の簡単な説明】
【００１３】
【図１】本考案に係る墓石用花立のアダプターの構成を示す縦断面図である。
【図２】アダプターを螺着した状態を示す外観図である。
【図３】図２の縦断面図である。
【図４】アダプターを互いに嵌合した状態を示す外観図である。
【図５】図４の縦断面図である。
【図６】本考案が適用される墓石用花立を示す断面図である。
【図７】本考案が適用される墓石用花立を示す外観図である。
【符号の説明】
【００１４】
１  花立石
２  台座
３  雌ねじ部
４  花立本体
５  雄ねじ部
１１  台座用アダプター
１２  本体部
１３  雄ねじ部
１４  嵌合孔
１５  凹溝
１６  欠円リング
２１  本体用アダプター
２２  本体部
２３  凸部
２４  雌ねじ部
２５  溝
２６  孔
【図１】
0003106243.tif 000003
【図２】
0003106243.tif 000004
【図３】
0003106243.tif 000005
【図４】
0003106243.tif 000006
【図５】
0003106243.tif 000007
【図６】
0003106243.tif 000008
【図７】
0003106243.tif 000009